(57)【要約】【課題】筐体を縦・横に開放する２軸が離れていたとしても必要に応じ一方の軸の回転規制を可能にする。【解決手段】第１筐体（１）と第２筐体（２）とを重ねて折り畳んだ状態から相対的に回転させて縦方向に開放させる第１回転軸１１と、第１筐体（１）と第２筐体（２）とを重ねて折り畳んだ状態から相対的に回転させて横方向に開放させる第２回転軸１２と、を備える２軸ヒンジ構造であって、第１回転軸１１と第２回転軸１２との間に配置され、一方の回転軸の所定回転位置で、当該一方の回転軸に押されて他方の回転軸に係合し、当該他方の回転軸の回転を規制する規制部材１７を備える。具体的には、規制部材１７は板状部材で、一方の回転軸に設けたカム１９・２９に当接し、当該カム１９・２９との当接により回動して他方の回転軸に係合する。【選択図】図１２
2010265944.tif 000002
【特許請求の範囲】
【請求項１】
第１筐体と第２筐体とを重ねて折り畳んだ状態から相対的に回転させて縦方向に開放させる第１回転軸と、
前記第１筐体と第２筐体とを重ねて折り畳んだ状態から相対的に回転させて横方向に開放させる第２回転軸と、を備える２軸ヒンジ構造であって、
前記第１回転軸と第２回転軸との間に配置され、一方の回転軸の所定回転位置で、当該一方の回転軸に押されて他方の回転軸に係合し、当該他方の回転軸の回転を規制する規制部材を備えることを特徴とする２軸ヒンジ構造。
【請求項２】
前記規制部材は、前記他方の回転軸に設けられた段差部または切り欠き部に係合することを特徴とする請求項１に記載の２軸ヒンジ構造。
【請求項３】
前記規制部材は板状部材で、前記一方の回転軸に設けたカムに当接し、当該カムとの当接により回動して前記他方の回転軸に係合することを特徴とする請求項１または２に記載の２軸ヒンジ構造。
【請求項４】
前記規制部材は、前記一方の回転軸に設けた第１カムに当接する第１規制部材と、前記他方の回転軸に設けた第２カムに当接する第２規制部材とからなり、
前記第１規制部材が前記第１カムにより押されてスライドして、前記第２カムにより押されてスライドした第２規制部材に係合することを特徴とする請求項１に記載の２軸ヒンジ構造。
【請求項５】
前記第１回転軸と同一軸線上に配置される第３回転軸と、
この第３回転軸を軸受けし、当該第３回転軸の回転の所定角度毎でクリック感が得られる軸受部と、を備えることを特徴とする請求項１から４のいずれか一項に記載の２軸ヒンジ構造。
【請求項６】
前記第１回転軸及び第２回転軸が取り付けられる箱状部材を備え、
この箱状部材内に電子部品を収納したことを特徴とする請求項１から５のいずれか一項に記載の２軸ヒンジ構造。
【請求項７】
前記電子部品は、ムービーカメラであることを特徴とする請求項６に記載の２軸ヒンジ構造。
【請求項８】
前記第１回転軸及び第２回転軸は、線材を挿通させる中空部材であり、
前記線材を前記第１回転軸及び第２回転軸の中空部材内に挿通して、
前記第１回転軸及び第２回転軸間で当該線材を保持する保持部材を備えることを特徴とする請求項１から７のいずれか一項に記載の２軸ヒンジ構造。
【請求項９】
前記線材は、前記第１筐体及び第２筐体内に夫々設けられた回路基板を電気的に接続する配線であることを特徴とする請求項８に記載の２軸ヒンジ構造。
【請求項１０】
請求項１から９のいずれか一項に記載の２軸ヒンジ構造を備えることを特徴とする携帯機器。
【発明の詳細な説明】
【技術分野】
【０００１】
本発明は、２軸ヒンジ構造と、その２軸ヒンジ構造を備える携帯機器に関する。
【背景技術】
【０００２】
折り畳み式携帯端末において、操作部筐体に対し表示部筐体を縦方向あるいは横方向に回転自在に組み付ける２軸ヒンジを備えている（例えば特許文献１参照）。
【先行技術文献】
【特許文献】
【０００３】
【特許文献１】特許第４２１６８８７号公報
【発明の概要】
【発明が解決しようとする課題】
【０００４】
特許文献１のように従来の２軸ヒンジでは、縦・横に開放する２軸には規制がないため、自由な方向に筐体を開くことができるが、縦・横に迅速にスタイルを変えたい場合には意図しない方向に回転したりして不向きであった。
【０００５】
本発明の課題は、筐体を縦・横に開放する２軸が離れていたとしても必要に応じ一方の軸の回転規制を可能にすることである。
【課題を解決するための手段】
【０００６】
以上の課題を解決するため、請求項１に記載の発明は、第１筐体と第２筐体とを重ねて折り畳んだ状態から相対的に回転させて縦方向に開放させる第１回転軸と、前記第１筐体と第２筐体とを重ねて折り畳んだ状態から相対的に回転させて横方向に開放させる第２回転軸と、を備える２軸ヒンジ構造であって、前記第１回転軸と第２回転軸との間に配置され、一方の回転軸の所定回転位置で、当該一方の回転軸に押されて他方の回転軸に係合し、当該他方の回転軸の回転を規制する規制部材を備えることを特徴とする。
【０００７】
請求項２に記載の発明は、請求項１に記載の２軸ヒンジ構造であって、前記規制部材は、前記他方の回転軸に設けられた段差部または切り欠き部に係合することを特徴とする。
【０００８】
請求項３に記載の発明は、請求項１または２に記載の２軸ヒンジ構造であって、前記規制部材は板状部材で、前記一方の回転軸に設けたカムに当接し、当該カムとの当接により回動して前記他方の回転軸に係合することを特徴とする。
【０００９】
請求項４に記載の発明は、請求項１に記載の２軸ヒンジ構造であって、前記規制部材は、前記一方の回転軸に設けた第１カムに当接する第１規制部材と、前記他方の回転軸に設けた第２カムに当接する第２規制部材とからなり、前記第１規制部材が前記第１カムにより押されてスライドして、前記第２カムにより押されてスライドした第２規制部材に係合することを特徴とする。
【００１０】
請求項５に記載の発明は、請求項１から４のいずれか一項に記載の２軸ヒンジ構造であって、前記第１回転軸と同一軸線上に配置される第３回転軸と、この第３回転軸を軸受けし、当該第３回転軸の回転の所定角度毎でクリック感が得られる軸受部と、を備えることを特徴とする。
【００１１】
請求項６に記載の発明は、請求項１から５のいずれか一項に記載の２軸ヒンジ構造であって、前記第１回転軸及び第２回転軸が取り付けられる箱状部材を備え、この箱状部材内に電子部品を収納したことを特徴とする。
【００１２】
請求項７に記載の発明は、請求項６に記載の２軸ヒンジ構造であって、前記電子部品は、ムービーカメラであることを特徴とする。
【００１３】
請求項８に記載の発明は、請求項１から７のいずれか一項に記載の２軸ヒンジ構造であって、前記第１回転軸及び第２回転軸は、線材を挿通させる中空部材であり、前記線材を前記第１回転軸及び第２回転軸の中空部材内に挿通して、前記第１回転軸及び第２回転軸間で当該線材を保持する保持部材を備えることを特徴とする。
【００１４】
請求項９に記載の発明は、請求項８に記載の２軸ヒンジ構造であって、前記線材は、前記第１筐体及び第２筐体内に夫々設けられた回路基板を電気的に接続する配線であることを特徴とする。
【００１５】
請求項１０に記載の発明は、請求項１から９のいずれか一項に記載の２軸ヒンジ構造を備える携帯機器を特徴とする。
【発明の効果】
【００１６】
本発明によれば、筐体を縦・横に開放する２軸が離れていたとしても必要に応じ一方の軸の回転規制をすることができる。
【図面の簡単な説明】
【００１７】
【図１】本発明を適用した携帯機器の一実施形態の構成を示すもので、携帯電話の折り畳み状態を示した斜視図である。
【図２】図１の携帯電話を縦方向に開放した状態を示した斜視図である。
【図３】図１の携帯電話を横方向に開放した状態を示した斜視図である。
【図４】図１の携帯電話のムービースタイル状態を示した斜視図である。
【図５】図１の折り畳み状態でのヒンジユニットを示した図である。
【図６】図１の折り畳み状態での配線の仕方を示した図である。
【図７】図５のヒンジユニットと図６の配線を組み合わせた拡大斜視図である。
【図８】図７のヒンジユニットの折り畳み状態に対応した斜視図である。
【図９】図８のヒンジユニットの規制部の拡大図である。
【図１０】図８のヒンジユニットの規制部を反対側から見た図である。
【図１１】図１０の規制部の規制解除時を示した拡大図である。
【図１２】図１０の規制部の規制作動時を示した拡大図である。
【図１３】図１の折り畳み状態の携帯電話を他端側から見た拡大図である。
【図１４】図１３の第３筐体及びバンパーの分解斜視図である。
【図１５】図１４のバンパー組み付け部の側面に組み込まれるスイッチ等の分解斜視図である。
【図１６】図２の縦方向開放状態での画面とカメラの方向を示した図である。
【図１７】図１６と反対側から見た図である。
【図１８】図１６と反対側でバンパー部も示した図である。
【図１９】図１８のバンパー部の拡大図である。
【図２０】図１３の第１筐体側にバンパーを設ける例を示した図である。
【図２１】図８のヒンジユニットの縦方向開放状態に対応した図である。
【図２２】図２１の規制部の拡大図である。
【図２３】図３の横方向開放状態でのブックスタイルを示した図である。
【図２４】図８のヒンジユニットのブックスタイルに対応した図である。
【図２５】図２４の規制部の拡大図である。
【図２６】図４のムービースタイルでの画面とカメラの方向を示した図である。
【図２７】図２６の上方向から見た平面図である。
【図２８】図２６のムービースタイルでの反対側から見た持ち方を示した図である。
【図２９】図８のヒンジユニットのムービースタイルに対応した図である。
【図３０】図２９の規制部の拡大図である。
【図３１】図３０の規制プレートの拡大斜視図である。
【図３２】実施形態２の規制部材の構成を示す斜視図である。
【図３３】図３２の規制部材構成部の折り畳み状態を示した正面図（ａ）と側面図（ｂ）である。
【図３４】図３２の規制部材構成部の通常オープン状態を示した正面図（ａ）と側面図（ｂ）である。
【図３５】図３２の規制部材構成部のブックスタイル状態を示した正面図（ａ）と側面図（ｂ）である。
【図３６】図３２の規制部材構成部のムービースタイル状態の対応例を示した斜視図である。
【図３７】図３６の規制部材構成部の折り畳み状態を示した側面図である。
【図３８】図３６の規制部材構成部のムービースタイル状態を示した側面図である。
【図３９】ブックスタイルでの使用例を示した斜視図である。
【図４０】第３筐体をインターフェース搭載部とした例で通常オープン状態を示した斜視図である。
【図４１】第３筐体を指紋センサーまたはタッチセンサー搭載部とした例で通常オープン状態を示した斜視図である。
【図４２】図４１の例の折り畳み状態を示した図である。
【図４３】第３筐体を着信ランプ搭載部とした例で通常オープン状態を示した斜視図である。
【図４４】図４３の例の折り畳み状態を示した図である。
【図４５】第３筐体をサブモニター+タッチパネル搭載部とした例で通常オープン状態を示した斜視図である。
【図４６】図４５の例の折り畳み状態を示した図である。
【図４７】第３筐体をインナーカメラ搭載部とした例で通常オープン状態を示した斜視図である。
【図４８】図４７の例の折り畳み状態を示した図である。
【図４９】図７の２軸ヒンジユニット及び配線を反対側から見た図である。
【図５０】図４９の矢印Ｅ部の拡大図である。
【図５１】図５０の配線とその保持部材の関係を示した図である。
【図５２】図５１の保持部材を反対側から見た図である。
【図５３】図４９の保持部材の組み付け方を示す分解図である。
【発明を実施するための形態】
【００１８】
以下、図を参照して本発明を実施するための形態を詳細に説明する。
（実施形態１）
図１から図４は本発明を適用した携帯機器の一実施形態の構成として携帯電話を示したもので、１は第１筐体、２は第２筐体、３は第３筐体、４は操作部、５は表示部、６はアンテナ、７はムービーカメラ（撮影部）、８は照明部である。
【００１９】
携帯電話は、図示のように、第１筐体１と第２筐体２と第３筐体３は後述する２軸ヒンジユニット１０を介して結合されている。第１筐体１には操作部４が設けられ、第２筐体２には表示部５及びアンテナ６が設けられ、第３筐体３には撮影部としてのムービーカメラ７及び照明部８が設けられている。
【００２０】
図５及び図８は第３筐体３の内部に組み込まれる２軸ヒンジユニット１０を示したもので、１１は第１回転軸、１２は第２回転軸、１３は第３回転軸、２１は第１取付部材、２２は第２取付部材、３０は第３筐体３のフレームである。
【００２１】
２軸ヒンジユニット１０は、図示のように、左側の第１回転軸１１と、右側の第２回転軸１２と、左側の第３回転軸１３と、左右の第１回転軸１１及び第３回転軸１３の各々に設けた一対の第１取付部材２１と、第２回転軸１２に設けた第２取付部材２２、中央の第３筐体３のフレーム３０とから構成される。
【００２２】
すなわち、左右の第１回転軸１１及び第３回転軸１３は、同一軸線上に位置して、その軸線を左右方向に向けた中空状のもので、図示右側の第１回転軸１１はフレーム３０の右側面にネジ止め固定したブラケット１４の下部に軸受部材を介して回転自在に一体化されている。また、図示左側の第３回転軸１３は、９０度等の所定角度に対応するクリック感が得られる軸受部材１５を介してフレーム３０の左側面に組み付けられている。
【００２３】
以上の第１回転軸１１及び第３回転軸１３には、その軸線に対し直交方向に延びて第１筐体１の内部にネジ止め固定されるアーム状の第１取付部材２１が各々圧入嵌合して一体化されている。この第１取付部材２１の回転角度は、第１回転軸１１の軸受部材との係合構造により約１８０度等に制限される。
【００２４】
そして、第２回転軸１２は、軸線を前後方向に向けた中空状のもので、フレーム３０の図示右側面のブラケット１４の上部に一体に形成した突出部１６に軸受部材を介して回転自在に一体化されている。この第２回転軸１２には、その軸線に対し直交方向に延びて第２筐体２の内部にネジ止め固定されるアーム状の第２取付部材２２が圧入嵌合して一体化されている。この第２取付部材２２の回転角度は、第２回転軸１２の外周に形成された溝１２ａに突出部１６に設けられた係合片１６ａが係合することで制限される。
【００２５】
図６は第１配線３１及び第２配線３２を示し、図７は２軸ヒンジユニット１０と第１配線３１及び第２配線３２を組み合わせた図である。
【００２６】
すなわち、第１配線３１は、第１筐体１内の基板に接続されるコネクタ３１ａを一端に備えて第３筐体３内の基板に接続されるコネクタ３１ｃを他端に備える同軸ケーブルで、図７において右側の第１回転軸１１の中空部内に通されている。
【００２７】
そして、第２配線３２は、第１筐体１内の基板に接続されるコネクタ３２ａを一端に備えて第２筐体２内の基板に接続されるコネクタ３２ｂを他端に備える同軸ケーブルで、図７において右側の第１回転軸１１の中空部内に通して第２回転軸１２の中空部内に通されている。
【００２８】
また、第１筐体１内の基板に接続される端子３３ａを一端に備えて第２筐体２内の基板に接続される端子３３ｂを他端に備えるアンテナ線３３も、第２配線３２と同様に、図７において右側の第１回転軸１１の中空部内に通して第２回転軸１２の中空部内に通されている。
【００２９】
図９は２軸ヒンジユニット１０の規制部を拡大したもので、図１０は図８の２軸ヒンジユニット１０の規制部を反対側から見た図であり、１７は規制プレート、１８はピン、１９は第１カムである。
【００３０】
図示のように、規制プレート１７は、ブラケット１４の上部で突出部１６の側面に、第２回転軸１２と平行するピン１８により揺動可能に組み付けられたベルクランク状のものである。この規制プレート１７、その下端部が第１回転軸１１の端部外周に形成した第１カム１９に当接して、側方端部が第２回転軸１２の端部外周に形成した第２カム２９に当接している。
【００３１】
第１回転軸１１の端部外周の第１カム１９は、図１１及び図１２にも示すように、第１回転軸１１の半周強に形成した小径部１９ａと、同じく半周弱に形成した大径部１９ｂと、その大径部１９ｂの中間部に形成した切り欠き部１９ｃとから構成されている。
【００３２】
第２回転軸１２の端部外周の第２カム２９は、第２回転軸１２の端部外周に形成した凹凸部により構成されている。
【００３３】
規制プレート１７は、その側方端部が第２回転軸１２の端部外周の凹凸部による第２カム２９に当接している間は、図１１に示すように、下端部が第１回転軸１１の端部外周の第１カム１９から側方に離間して、第１回転軸１１の回転を許容する。
【００３４】
また、規制プレート１７は、側方端部が第２回転軸１２の端部外周に当接している間であって、下端部が第１回転軸１１の端部外周のカム１９の小径部１９ａと大径部１９ｂとの段差部に突き当たっている状態と、図１２に示すように、切り欠き部１９ｃに嵌まり込んだ状態では、第１回転軸１１の回転を規制する。
【００３５】
図１３は図１の折り畳み状態の携帯電話を他端側から見て拡大したもので、第３筐体３は下ケース３４及び上ケース３５から構成されていて、上ケース３５より幅狭の下ケース３４は第１筐体１の端部に形成した凹所１ａに位置している。この下ケース３４と第１筐体１の凹所１ａの両側に位置する突出部１ｂとの間に第１回転軸１１が貫通して、これにより、第３筐体３は第１筐体１に対し第１回転軸１１を中心に縦方向に開閉可能である。
【００３６】
また、図示のように、折り畳み状態において、上ケース３５は第２筐体２の延長上に位置している。この上ケース３５と第２筐体２との一側部の間に第２回転軸１２が貫通して、これにより、第２筐体２は第３筐体３に対し一側部の第２回転軸１２を中心に横方向に開閉可能である。
【００３７】
そして、下ケース３４の上部左右には、図１４に示すように、上ケース３５の開放部を閉じる突出部３４ａが形成されており、この突出部３４ａの下面にゴム等の柔らかい材質の緩衝材によるバンパー２３が設けられている。なお、下ケース３４の側面には第１回転軸１１が突出する穴３４ｂが形成されている。また、バンパー２３は、突出部３４ａに形成された貫通穴３４ｃの目隠しも兼ねている。
【００３８】
さらに、下ケース３４の突出部３４ａと上ケース３５の側面との間に、ロック解除ボタン２４が組み付けられている。このロック解除ボタン２４は、図１５に示すように、突出部３４ａの上にスライド自在に組み付けられるロック爪２５と係合している。このロック爪２５は、コイルバネ２６により第３筐体３の端面から突出する方向に付勢されて、第２筐体２の端面に形成された凹部（不図示）に係合する。なお、前記貫通穴３４ｃは、コイルバネ２６を組み込むためのスリット３４ｄを、下ケース３４の樹脂成形時に下金型に設けた突起部により形成するために残るものである。
【００３９】
先ず、図１及び図１３は第１筐体１上に第１筐体２及び第３筐体３を重ねて折り畳んだ状態を示したもので、図８はその折り畳み状態に対応した２軸ヒンジユニット１０を示したものである。すなわち、フレーム３０から第１取付部材２１及び第２取付部材２２は同一方向に平行に向いている。
【００４０】
このとき、規制プレート１７は、その側方端部が第２回転軸１２の端部外周の凹凸部による第２カム２９に当接して、図９に示すように、下端部が第１回転軸１１の端部外周の第１カム１９の大径部１９ｂから側方に離間していて、第１回転軸１１の回転は許容される。また、第２回転軸１２の回転も許容される。
【００４１】
次に、図２及び図１６から図１８は第１筐体１に対し第２筐体２及び第３筐体３を、第１回転軸１１を中心に縦方向に開放した通常オープンスタイルを示したもので、図１６及び図１７において、矢印Ａで示す方向はムービーカメラ７の向きを示し、矢印Ｂで示す方向は表示部５の画面の向きを示している。そして、図２１はその通常オープンスタイルに対応した２軸ヒンジユニット１０を示したものである。すなわち、フレーム３０に対し第１取付部材２１と第２取付部材２２が互いに反対方向に向いている。
【００４２】
このとき、規制プレート１７は、図２２に示すように、その下端部が第１回転軸１１の端部外周の第１カム１９の大径部１９ｂから側方に離間していて、図１０に示したように、側方端部が第２回転軸１２の端部外周の凹凸部による第２カム２９に当接していることから、第２回転軸１２の回転は規制される。
【００４３】
以上の通常オープンスタイルにおいて、第１筐体１に対し第２筐体２及び第３筐体３を、第１回転軸１１を中心に縦方向に開く際に、図１９に拡大して示したように、バンパー２３は、第１筐体１の突出部１ｂの背面に当接して衝撃を緩衝する。
このように、通常オープンスタイルで緩衝するバンパー２３は、デザイン性を考慮し、折り畳み状態において第３筐体３の内側面に設けられて外観から見えない位置に配置されており、且つ、第３筐体３の下ケース３４の突出部３４ａにある、成形金型の構造上必要ない貫通穴３４ｃの目隠しも兼用している。
【００４４】
なお、図２０に示すように、第１筐体１の突出部１ｂの背面にバンパー（緩衝材）２７を設けてもよい。このバンパー２７は、携帯電話を縦方向に開く際に第３筐体３に当接して衝撃を緩衝したり、携帯電話を机等に置く際に衝撃を緩衝するもので、さらに、第１筐体１を構成する下ケース及び上ケースを合体固定するネジを隠すネジ隠しも兼用する。
【００４５】
次に、図３及び図２３は第１筐体１及び第３筐体３に対し第２筐体２を、第２回転軸１２を中心に横方向に開放して表示部５を横長としたブックスタイルを示したもので、図２４はそのブックスタイルに対応した２軸ヒンジユニット１０を示したものである。すなわち、折り畳み状態時におけるフレーム３０及び第１取付部材２１に対し第２取付部材２２が一側方に向いている。
【００４６】
このとき、規制プレート１７は、その側方端部が第２回転軸１２の端部外周に当接していて、図２５に示すように、下端部が第１回転軸１１の端部外周の第１カム１９の小径部１９ａと大径部１９ｂとの段差部に当接していることから、第１回転軸１１の回転は規制される。
【００４７】
次に、図４及び図２６から図２８は第１筐体１に対し第２筐体２及び第３筐体３を、第１回転軸１１を中心に９０度回転して表示部５を横長としたムービースタイルを示したもので、図２６及び図２７において、矢印Ａで示す方向はムービーカメラ７の向きを示し、矢印Ｂで示す方向は表示部５の画面の向きを示している。そして、図２９はそのムービースタイルに対応した２軸ヒンジユニット１０を示したものである。すなわち、折り畳み状態時におけるフレーム３０及び第２取付部材２２に対し第１取付部材２１が直角方向に向いている。
【００４８】
このとき、規制プレート１７は、図３０に示すように、その下端部が第１回転軸１１の端部外周の第１カム１９の大径部１９ｂの切り欠き部１９ｃから離間していることから、第２回転軸１２の回転は許容される。従って、第３筐体３に対し第２筐体２の表示部５の角度が変化できる。
【００４９】
そして、ムービースタイル時においては、図２６から図２８に示すように、第１筐体１の上面で第３筐体３に近い部分に設けたシャッターキー４１及びズームキー４２と、同じく第１筐体１の内側面で操作部４の上側に並んだサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９が使用される。
【００５０】
なお、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分には、その旨印刷表示されている。
【００５１】
また、第１筐体１の内側面で操作部４の前後には上下方向に沿ってバンパー５１・５２が設けられている。このバンパー５１・５２は、第１筐体１に対し第２筐体２及び第３筐体３を折り畳む際の衝撃を緩衝するもので、さらに、第１筐体１を構成する下ケース及び上ケースを合体固定するネジを隠すネジ隠しも兼用する。
【００５２】
以上のムービースタイルにおいて、図２８に仮想線で示したように、親指をバンパー５１に沿わせて、ズームキー４２に人差し指を、さらにシャッターキー４１に中指をそれぞれ沿わせて右手で持つことができ、すなわち、右手で持ち易いグリップ感を具備したムービースタイルを実現できる。この場合、第３筐体３に近い側のバンパー５１の表面には、親指に対し滑り止めとして機能するシボ加工が施されている。
【００５３】
なお、第１筐体１のホワイトバランスキー４８の上方に離間した部分にマイク穴５３が設けられている。また、第２筐体２の表示部５と反対側の前面部の上部には左右一対のマイク穴５４が設けられている。
【００５４】
次に、以上のムービースタイル時において、撮像部７を有する第３筐体３に対し表示部５を有する第２筐体２を、上部の第２回転軸１２を中心に向こう側に回転すると、表示部５を下から見上げる斜め角度のハイアングルでムービー撮影時のファインダーとして見ることができる。また、第２筐体２を手前側に若干回転すると、表示部５を上から見下ろす斜め角度のローアングルでファインダーとして見ることができる。
【００５５】
そして、第２筐体２を第３筐体３に対し上部の第２回転軸１２を中心に手前側に回転すると、図１２に示すように、規制プレート１７の下端部が第１回転軸１１の端部外周の第１カム１９の大径部１９ｂの切り欠き部１９ｃに入り込む。これにより、第１回転軸１１の回転が規制される。
【００５６】
以上において、ブックスタイル時には、図３及び図２３に示したように、サブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９の上に沿った部分に設けられる印刷表示は第２筐体２により覆われて見辛くなっている。このため、その表示部５の下部に沿ってサブメニューキー４３、画面表示切替キー４４、Ａ−ＭＡＴ（音声ズーム）ON/OFFキー４５、顔ピタON/OFFキー４６、逆光補正キー４７、ホワイトバランスキー４８及び秒撮キー４９に対応した表示がなされる。
【００５７】
また、折り畳み状態では、図８に示したように、２軸ヒンジユニット１０のフレーム３０から第１取付部材２１及び第２取付部材２２が同一方向に平行に向いており、第１筐体１と第２筐体２に対するネジ止め部が上下に位置するため、初期の重ねた際の両筐体１・２のズレを、組立工程の最後にチューニング（あるいはリペア）しやすいように工夫がなされている。
【００５８】
次に、図３１は図３０の規制プレート１７を拡大したもので、図示のように、規制プレート１７は、揺動可能に組み付けるピン１８の周りに位置する支持部１７ａに下向きの切り欠き部１７ｂが形成されている。
【００５９】
従って、図１２に示したように、規制プレート１７の下端部が第１回転軸１１の端部外周の第１カム１９の大径部１９ｂの切り欠き部１９ｃに入り込んで、第１回転軸１１の回転が規制された状態において、以下の作用効果が得られる。つまり、前述したように図２８のムービースタイルで第２筐体２を第３筐体３に対し上部の第２回転軸１２を中心に向こう側に９０度回転した状態にして、例えば無理に折り畳む方向に力を加えた場合、規制プレート１７のピン１８の周りに位置する支持部１７ａが下向きの切り欠き部１７ｂの存在により一旦拡がって、規制プレート１７の下端部に対する第１カム１９の大径部１９ｂの切り欠き部１９ｃによる持ち上げ方向の荷重によるピン１８の破損を回避できる。
【００６０】
以上、実施形態の携帯電話によれば、操作部４を有する第１筐体１と表示部５を有する第２筐体２とを重ねて折り畳んだ状態から相対的に移動させて縦方向に開放させる第１回転軸１１と、同様に横方向に開放させる第２回転軸１２とを、ムービーカメラ７とともに第３筐体３に収納した筐体構造で、第１筐体１と第２筐体２を縦方向に開放させた場合は、第３筐体３が第２筐体２とともに移動し、また、横方向に開放させた場合には、第３筐体３が第１筐体１とともに移動する構成としたことで、必要に応じムービースタイルにして、表示部５の画面を横長で見ながらムービーカメラ７でムービー撮影することができる。
【００６１】
さらに、ムービースタイル時において、ムービーカメラ７を有する第３筐体３に対し表示部５を有する第２筐体２を、中央部の第２回転軸１２を中心に回転して、ムービー撮影時のファインダーとしての表示部５を下から見上げる斜め角度のハイアングルとしたり、表示部５を上から見下ろす斜め角度のローアングルとすることもできる。
【００６２】
また、２軸ヒンジユニット１０は、第１回転軸１１及び第２回転軸１２が第３筐体３のフレーム３０に組み付けられ、第１回転軸１１に一体の第１取付部材２１が第１筐体１に組み付けられて、第２回転軸１２に一体の第２取付部材２２が第２筐体２に組み付けられる構成なので、強度的に優れている。
【００６３】
そして、第１筐体１内に一端を固定されて第３筐体３内に他端が固定される第１配線３１を第１回転軸１１の中空部内に通して、第１筐体１内に一端を固定されて第２筐体２内に他端が固定される第２配線３２を第１回転軸１１の中空部内に通して第２回転軸１２の中空部内に通すことで、３つの筐体内の配線をすることができる。
【００６４】
また、２軸ヒンジユニット１０は、第１回転軸１１と第２回転軸１２との間に配置され、一方の回転軸の所定回転位置で、当該一方の回転軸に押されて他方の回転軸に係合し、当該他方の回転軸の回転を規制する規制プレート１７を備えているため、第１筐体１と第２筐体２を縦・横に開放する第１回転軸１１と第２回転軸１２が実施形態のように離れていても、前述したように通常オープンスタイル、ブックスタイル、ムービースタイル時において、必要に応じ一方の軸の回転規制をすることができる。
【００６５】
（実施形態２）
次に、図３２及び図３３は実施形態２の規制部材の構成を示すもので、６１は第１カム、６２は第２カム、６３は第１規制プレート、６４は第２規制プレート、６５は第１固定ピン、６６は第２固定ピン、６７は摺動サポートプレートである。
【００６６】
実施形態２は、図示のように、第１回転軸１１の端部に円板カムによる第１カム６１を一体に設けるとともに、第２回転軸１２の端部にも円板カムによる第２カム６２を一体に設けて、第１カム６１の上に当接する第１規制プレート６３と、第２カム６２の横に当接する第２規制プレート６４を設けている。
【００６７】
第１規制プレート６３は第１固定ピン６５が係合する上下方向のガイド穴６３ａを有して、その上方に規制穴６３ｂを有している。第２規制プレート６４は第２固定ピン６６が係合する横方向のガイド穴６４ａを有して、その先端側に上下面が先細りのテーパー面となった規制凸部６４ｂを有している。そして、第１規制プレート６３の上下方向の移動と第２規制プレート６４の横方向の移動をともに摺動ガイドする摺動サポートプレート６７が設けられている。
【００６８】
ここで、図３２及び図３３は以上の規制部材構成部の折り畳み状態を示したもので、図示のように、第１カム６１のベース円に第１規制プレート６３が当接するとともに、第２カム６２のベース円に第２規制プレート６４が当接している。
【００６９】
図３４（ａ）及び（ｂ）は規制部材構成部の通常オープン状態を示したもので、図３３の折り畳み状態から第１回転軸１１が１８０度回転することで、図示のように、第１カム６１のカムトップにより第１規制プレート６３が押し上げられる。これにより、第１規制プレート６３の規制穴６３ｂには第２規制プレート６４の規制凸部６４ｂが入らなくなることから、第２回転軸１２の多少の回転は許容されるがそれ以上の回転が規制される。従って、通常オープンでの第２筐体２の横方向の回転が規制される。
【００７０】
図３５（ａ）及び（ｂ）は規制部材構成部のブックスタイル状態を示したもので、図３３の折り畳み状態から第２回転軸１２が１８０度回転することで、図示のように、第２カム６２のカムトップにより第２規制プレート６４が押されて前進し、その先端の規制凸部６４ｂが、第１規制プレート６３の規制穴６３ｂに嵌まり込む。これにより、第１回転軸１１の回転が規制される。従って、ブックスタイルでの第２筐体２の縦方向の無理矢理の回転が規制される。
【００７１】
次に、図３６は規制部材構成部のムービースタイル状態の対応例を示したもので、図示のように、第１規制プレート６３のガイド穴６３ａと規制穴６３ｂとの間に９０度回転状態での規制穴６３ｃが形成されている。
【００７２】
図３７は規制部材構成部の折り畳み状態を示したもので、図示のように、第２規制プレート６４の前方に規制穴６３ｂが位置している。
【００７３】
図３８は規制部材構成部のムービースタイル状態を示したもので、折り畳み状態から第１回転軸１１が９０度回転することで、第１カム６１により第１規制プレート６３が押し上げられて、図示のように、第２規制プレート６４の前方に中間の規制穴６３ｃが位置している。
【００７４】
この状態で、第２回転軸１２が９０度回転することで、図示のように、第２カム６２により第２規制プレート６４が押されて前進し、その先端の規制凸部６４ｂが、第１規制プレート６３の中間の規制穴６３ｃに嵌まり込む。これにより、第１回転軸１１の回転が規制される。従って、ムービースタイルで第２回転軸１２を中心に９０度回転した状態での第２筐体２の縦方向の無理矢理の回転が規制される。
【００７５】
次に、図３９はブックスタイルでの使用例を示したもので、図示のように、携帯電話をブックスタイル時に両手でグリップした際、第１筐体１端部のバンパー５２部分に右手親指が自然に置かれて、第３筐体３のムービーカメラ７部に左手親指が自然と置かれるので、自然なスタイルで操作可能となる。
【００７６】
図４０は第３筐体３をインターフェース７１の搭載部とした例で通常オープン状態を示したものである。このように、第３筐体３にインターフェース７１を搭載することで、オープンスタイル・クローズスタイルでともに使用可能なインターフェース７１を備えることができる。これにより、ユーザーの使い勝手、及び快適な携帯電話の操作性を向上することが可能となる。
【００７７】
図４１は第３筐体３を電子部品として指紋センサーまたはタッチセンサー７２の搭載部とした例で通常オープン状態を示したものである。このように、第３筐体３に指紋センサーまたはタッチセンサー７２を設けることで、オープンスタイルにおいて、表示部５のメイン画面のポインタを操作可能、同じくメイン画面の操作可能となる。
【００７８】
図４２は図４１の例の折り畳み状態を示したもので、このように、クローズスタイルにおいて、指紋センサー７２により指紋を読み取り、セキュリティーの設定・解除、他、短縮機能等が可能となる。
【００７９】
図４３は第３筐体３を電子部品として着信ランプ７３の搭載部とした例で通常オープン状態を示したものである。このように、第３筐体３に着信ランプ７３を設けることで、オープンスタイルにおいて、着信時等のアナウンス、他動作毎のイルミネーション機能も付加可能となる。
【００８０】
図４４は図４３の例の折り畳み状態を示したもので、このように、クローズスタイルにおいても、着信時等のアナウンス、他動作毎の、例えば“おさいふ”機能で支払い時等のイルミネーション機能も付加可能となる。
【００８１】
図４５は第３筐体３を電子部品としてサブモニター+タッチパネル７４の搭載部とした例で通常オープン状態を示したものである。このように、第３筐体３にサブモニター+タッチパネル７４を設けることで、オープンスタイルにおいて、さまざまな情報を表示、表示部５のメイン画面のポインタを操作可能、同じくメイン画面を操作可能となる。
【００８２】
図４６は図４５の例の折り畳み状態を示したもので、このように、クローズスタイルにおいて、さまざまな情報を表示、ロゴの表示、指紋等を読み取り、セキュリティーの設定・解除、他、短縮機能等が可能となる。
【００８３】
図４７は第３筐体３を電子部品としてインナーカメラ７５の搭載部とした例で通常オープン状態を示したものである。このように、第３筐体３にインナーカメラ７５を設けることで、オープンスタイルにおいて、テレビ電話が可能、表示部５のメイン画面のポインタを操作可能、同じくメイン画面を操作可能となる。
【００８４】
図４８は図４７の例の折り畳み状態を示したもので、このように、クローズスタイルにおいて、指紋等を読み取り、セキュリティーの設定・解除、他、短縮機能等が可能となる。
【００８５】
次に、図４９は図７の２軸ヒンジユニット１０及び第２配線３２を反対側から見たもので、図５０は図４９の矢印Ｅ部を拡大して示し、図５１は図５０の第２配線３２とその保持部材８１の関係を示したもので、図５２は図５１の保持部材８１を反対側から見たものである。
【００８６】
すなわち、第１回転軸１１の中空部を通ってさらに第２回転軸１２の中空部を通る同軸ケーブルによる第２配線３２及びアンテナ線３３を、フレーム３０内において、樹脂製の保持部材８１の穴部に通して保持する。この保持部材８１は、図５３に示すように、フレーム３０側面のブラケット１４の穴部に位置させて、上方の爪部８２によりブラケット１４に嵌め付けられている。
【００８７】
このように、別ピースの保持部材８１を用いてフレーム３０側面のブラケット１４に装着することで、フレーム３０内に一旦通る同軸ケーブルによる第２配線３２及びアンテナ線３３の引き回しが容易に行えて、さらに、その引き回しのスタイルが常に一定に保てて、しかも、規制プレート１７の邪魔にならないものとすることができる。
【００８８】
（変形例）
なお、以上の実施形態においては、携帯電話としたが、本発明はこれに限定されるものではなく、ＰＤＡ、ノートパソコン、ウェアラブルパソコン、電卓、電子辞書などで、縦・横に筐体を開放自在にした機器全てに用いることができる。
また、規制部材の形状等も任意であり、その他、具体的な細部構造等についても適宜に変更可能であることは勿論である。
【符号の説明】
【００８９】
１  第１筐体
２  第２筐体
３  第３筐体（箱状部材）
４  操作部
５  表示部
６  アンテナ
７  ムービーカメラ（電子部品）
８  照明部
１０  ２軸ヒンジユニット
１１  第１回転軸
１２  第２回転軸
１３  第３回転軸
１４  ブラケット
１５  軸受部材
１６  突出部
１７  規制プレート（規制部材）
１８  ピン
１９  第１カム
２１  第１取付部材
２２  第２取付部材
２３  緩衝材
２４  ロック解除ボタン
２５  ロック爪
２６  バネ
２７  緩衝材
２９  第２カム
３０  フレーム
３１  第１配線（同軸ケーブル）
３２  第２配線（同軸ケーブル）
３３  アンテナ線
３４  下ケース
３５  上ケース
４１  シャッターキー
４２  ズームキー
４３  サブメニューキー
４４  画面表示切替キー
４５  Ａ−ＭＡＴ（音声ズーム）ON/OFFキー
４６  顔ピタON/OFFキー
４７  逆光補正キー
４８  ホワイトバランスキー
４９  秒撮キー
５１  バンパー
５２  バンパー
５３  マイク穴
５４  マイク穴
６１  第１カム
６２  第２カム
６３  第１規制プレート（規制部材）
６４  第２規制プレート（規制部材）
６５  第１固定ピン
６６  第２固定ピン
６７  摺動サポートプレート
７１  インターフェース（電子部品）
７２  指紋センサーまたはタッチセンサー（電子部品）
７３  着信ランプ（電子部品）
７４  サブモニター+タッチパネル（電子部品）
７５  インナーカメラ（電子部品）
８１  保持部材
８２  爪部
【図１】
2010265944.tif 000003
【図２】
2010265944.tif 000004
【図３】
2010265944.tif 000005
【図４】
2010265944.tif 000006
【図７】
2010265944.tif 000007
【図８】
2010265944.tif 000008
【図９】
2010265944.tif 000009
【図１０】
2010265944.tif 000010
【図１１】
2010265944.tif 000011
【図１２】
2010265944.tif 000012
【図１３】
2010265944.tif 000013
【図１４】
2010265944.tif 000014
【図１５】
2010265944.tif 000015
【図１６】
2010265944.tif 000016
【図１７】
2010265944.tif 000017
【図１８】
2010265944.tif 000018
【図１９】
2010265944.tif 000019
【図２０】
2010265944.tif 000020
【図２１】
2010265944.tif 000021
【図２２】
2010265944.tif 000022
【図２３】
2010265944.tif 000023
【図２４】
2010265944.tif 000024
【図２５】
2010265944.tif 000025
【図２６】
2010265944.tif 000026
【図２７】
2010265944.tif 000027
【図２８】
2010265944.tif 000028
【図２９】
2010265944.tif 000029
【図３０】
2010265944.tif 000030
【図３１】
2010265944.tif 000031
【図３２】
2010265944.tif 000032
【図３３】
2010265944.tif 000033
【図３４】
2010265944.tif 000034
【図３５】
2010265944.tif 000035
【図３６】
2010265944.tif 000036
【図３７】
2010265944.tif 000037
【図３８】
2010265944.tif 000038
【図３９】
2010265944.tif 000039
【図４０】
2010265944.tif 000040
【図４１】
2010265944.tif 000041
【図４２】
2010265944.tif 000042
【図４３】
2010265944.tif 000043
【図４４】
2010265944.tif 000044
【図４５】
2010265944.tif 000045
【図４６】
2010265944.tif 000046
【図４７】
2010265944.tif 000047
【図４８】
2010265944.tif 000048
【図４９】
2010265944.tif 000049
【図５０】
2010265944.tif 000050
【図５１】
2010265944.tif 000051
【図５２】
2010265944.tif 000052
【図５３】
2010265944.tif 000053
【図５】
2010265944.tif 000054
【図６】
2010265944.tif 000055
【手続補正書】
【提出日】平成22年7月15日(2010.7.15)
【手続補正１】
【補正対象書類名】特許請求の範囲
【補正対象項目名】全文
【補正方法】変更
【補正の内容】
【特許請求の範囲】
【請求項１】
第１筐体と第２筐体とを重ねて折り畳んだ状態から相対的に回転させて縦方向に開放させる第１回転軸と、
前記第１筐体と第２筐体とを重ねて折り畳んだ状態から相対的に回転させて横方向に開放させる第２回転軸と、を備える２軸ヒンジ構造であって、
板状部材から成り、前記第１回転軸と第２回転軸との間に配置され、一方の回転軸に設けたカムに当接し、当該カムとの当接により回動して、前記一方の回転軸の所定回転位置で、当該一方の回転軸に押されて他方の回転軸に係合し、当該他方の回転軸の回転を規制する規制部材と、
前記第１回転軸と同一軸線上に配置される第３回転軸と、
この第３回転軸を軸受けし、当該第３回転軸の回転の所定角度毎でクリック感が得られる軸受部と、を備え、
前記他方の回転軸は、前記規制部材に対向する端部に、一部に切り欠きを有する大径部と、小径部と、前記大径部と前記小径部との境界である段差部とを有し、
前記規制部材は、
前記小径部の外側に配置されること、及び前記切り欠きに一部を収容されることで前記一方の回転軸の回転を許容し、
前記段差部に当接すること、及び前記切り欠きに一部を嵌入された状態で前記切り欠きの面に当接することで前記他方の回転軸の回転を規制し、
前記他方の回転軸から離間した所定の回動姿勢のときに前記他方の回転軸の回転を許容する、
ことを特徴とする２軸ヒンジ構造。
【請求項２】
前記第１回転軸及び第２回転軸が取り付けられる箱状部材を備え、
この箱状部材内に電子部品を収納したことを特徴とする請求項１に記載の２軸ヒンジ構造。
【請求項３】
前記電子部品は、ムービーカメラであることを特徴とする請求項２に記載の２軸ヒンジ構造。
【請求項４】
前記第１回転軸及び第２回転軸は、線材を挿通させる中空部材であり、
前記線材を前記第１回転軸及び第２回転軸の中空部材内に挿通して、
前記第１回転軸及び第２回転軸間で当該線材を保持する保持部材を備えることを特徴とする請求項１から３のいずれか一項に記載の２軸ヒンジ構造。
【請求項５】
前記線材は、前記第１筐体及び第２筐体内に夫々設けられた回路基板を電気的に接続する配線であることを特徴とする請求項４に記載の２軸ヒンジ構造。
【請求項６】
前記第１回転軸と前記第２回転軸は、前記規制部材を介して配置されていることを特徴とする請求項１から５のいずれか一項に記載の２軸ヒンジ構造。
【請求項７】
請求項１から６のいずれか一項に記載の２軸ヒンジ構造を備えることを特徴とする携帯機器。
【手続補正２】
【補正対象書類名】明細書
【補正対象項目名】０００６
【補正方法】変更
【補正の内容】
【０００６】
以上の課題を解決するため、本発明の第１の観点に係る２軸ヒンジ構造は、第１筐体と第２筐体とを重ねて折り畳んだ状態から相対的に回転させて縦方向に開放させる第１回転軸と、
前記第１筐体と第２筐体とを重ねて折り畳んだ状態から相対的に回転させて横方向に開放させる第２回転軸と、を備える２軸ヒンジ構造であって、
板状部材から成り、前記第１回転軸と第２回転軸との間に配置され、一方の回転軸に設けたカムに当接し、当該カムとの当接により回動して、前記一方の回転軸の所定回転位置で、当該一方の回転軸に押されて他方の回転軸に係合し、当該他方の回転軸の回転を規制する規制部材と、
前記第１回転軸と同一軸線上に配置される第３回転軸と、
この第３回転軸を軸受けし、当該第３回転軸の回転の所定角度毎でクリック感が得られる軸受部と、を備え、
前記他方の回転軸は、前記規制部材に対向する端部に、一部に切り欠きを有する大径部と、小径部と、前記大径部と前記小径部との境界である段差部とを有し、
前記規制部材は、
前記小径部の外側に配置されること、及び前記切り欠きに一部を収容されることで前記一方の回転軸の回転を許容し、
前記段差部に当接すること、及び前記切り欠きに一部を嵌入された状態で前記切り欠きの面に当接することで前記他方の回転軸の回転を規制し、
前記他方の回転軸から離間した所定の回動姿勢のときに前記他方の回転軸の回転を許容する、
ことを特徴とする。
【手続補正３】
【補正対象書類名】明細書
【補正対象項目名】０００７
【補正方法】削除
【補正の内容】
【手続補正４】
【補正対象書類名】明細書
【補正対象項目名】０００８
【補正方法】削除
【補正の内容】
【手続補正５】
【補正対象書類名】明細書
【補正対象項目名】０００９
【補正方法】削除
【補正の内容】
【手続補正６】
【補正対象書類名】明細書
【補正対象項目名】００１０
【補正方法】削除
【補正の内容】
【手続補正７】
【補正対象書類名】明細書
【補正対象項目名】００１１
【補正方法】変更
【補正の内容】
【００１１】
また、前記第１回転軸及び第２回転軸が取り付けられる箱状部材を備え、この箱状部材内に電子部品を収納するようにしてもよい。
【手続補正８】
【補正対象書類名】明細書
【補正対象項目名】００１２
【補正方法】変更
【補正の内容】
【００１２】
また、前記電子部品は、ムービーカメラであってもよい。
【手続補正９】
【補正対象書類名】明細書
【補正対象項目名】００１３
【補正方法】変更
【補正の内容】
【００１３】
また、前記第１回転軸及び第２回転軸は、線材を挿通させる中空部材であり、前記線材を前記第１回転軸及び第２回転軸の中空部材内に挿通して、前記第１回転軸及び第２回転軸間で当該線材を保持する保持部材を備えることが好ましい。
【手続補正１０】
【補正対象書類名】明細書
【補正対象項目名】００１４
【補正方法】変更
【補正の内容】
【００１４】
また、前記線材は、前記第１筐体及び第２筐体内に夫々設けられた回路基板を電気的に接続する配線とすることができる。
また、前記第１回転軸と前記第２回転軸は、前記規制部材を介して配置されているようにしてもよい。
【手続補正１１】
【補正対象書類名】明細書
【補正対象項目名】００１５
【補正方法】変更
【補正の内容】
【００１５】
また、本発明の他の観点に係る携帯機器は、上記２軸ヒンジ構造を備えることを特徴とする。